【手続補正書】
【提出日】平成17年6月24日(2005.6.24)
【手続補正１】
【補正対象書類名】明細書
【補正対象項目名】特許請求の範囲
【補正方法】変更
【補正の内容】
【特許請求の範囲】
【請求項１】
複数の走査信号線と、
前記複数の走査信号線に接続された複数の画素とを有する表示装置であって、
前記複数の走査信号線のうち、隣接するｍ本（ｍは２以上の自然数）よりなる第１の走査信号線群の各走査信号線を順次選択することで、前記第１の走査信号線群に対応する複数の画素に対して映像信号が供給される第１の工程と、
前記複数の走査信号線のうち、前記第１の走査信号線群から所定の本数離れ、隣接するｎ本（ｎは２以上の自然数）よりなる第２の走査信号線群の走査信号線を一括して選択することで、前記第２の走査信号線群に対応する複数の画素に対してブランキング信号が供給される第２の工程とを有し、
前記第１の工程において順次選択される前記ｍ本の走査信号線のうちの所定の１本が選択される前に前記第２の工程が行われ、
前記ｍ本の走査信号線の中で、前記所定の１本とは、フレーム毎に異ならされることを特徴とする表示装置。
【請求項２】
前記第１の工程と前記第２の工程とは、フレーム毎に繰り返されることを特徴とする請求項１に記載の表示装置。
【請求項３】
前記第２の工程の後に選択される前記所定の１本とは、第１のフレームにおいては、前記ｍ本の走査信号線の中の第１の走査信号線であり、
第２のフレームにおいては、前記ｍ本の走査信号線の中の第２の走査信号線であることを特徴とする請求項１又は２に記載の表示装置。
【請求項４】
前記第１の走査信号線と前記第２の走査信号線とは隣接した走査信号線であることを特徴とする請求項３に記載の表示装置。
【請求項５】
前記第１の走査信号線と前記第２の走査信号線との間には、少なくとも１本の走査信号線が設けられていることを特徴とする請求項３に記載の表示装置。
【請求項６】
前記第２の工程は、１フレームにおいて、前記ｍ本の走査信号線のうちの前記所定の１本が選択される前においてのみ行われることを特徴とする請求項１乃至５の何れかに記載の表示装置。
【請求項７】
前記ｍ本と前記ｎ本とは同じ本数であることを特徴とする請求項１乃至６の何れかに記載の表示装置。
【請求項８】
前記ｍ本と前記ｎ本とは、４本であることを特徴とする請求項１乃至７の何れかに記載の表示装置。
【請求項９】
複数の走査信号線と、
前記複数の走査信号線に接続された複数の画素とを有する表示装置であって、
前記複数の走査信号線のうち、隣接するｍ本（ｍは２以上の自然数）よりなる第１の走査信号線群の各走査信号線を順次選択することで、前記第１の走査信号線群に対応する複数の画素に対して映像信号が供給される第１の工程と、
前記複数の走査信号線のうち、前記第１の走査信号線群とは異なり、隣接するｎ本（ｎは２以上の自然数）よりなる第２の走査信号線群の走査信号線を一括して選択することで、前記第２の走査信号線群に対応する複数の画素に対してブランキング信号が供給される第２の工程とを有し、
前記第１の工程において順次選択される前記ｍ本の走査信号線のうちの所定の１本が選択される前に前記第２の工程が行われ、
前記ｎ本の走査信号線と前記所定の１本との間に存在する走査信号線の数は、フレーム毎に異なっていることを特徴とする表示装置。
【請求項１０】
前記第１の工程と前記第２の工程とは、フレーム毎に繰り返されることを特徴とする請求項９に記載の表示装置。
【請求項１１】
前記第２の工程の後に選択される前記所定の１本とは、第１のフレームにおいては、前記ｍ本の走査信号線の中の第１の走査信号線であり、
第２のフレームにおいては、前記ｍ本の走査信号線の中の第２の走査信号線であることを特徴とする請求項９又は１０に記載の表示装置。
【請求項１２】
前記第１の走査信号線と前記第２の走査信号線とは隣接した走査信号線であることを特徴とする請求項１１に記載の表示装置。
【請求項１３】
前記第１の走査信号線と前記第２の走査信号線との間には、少なくとも１本の走査信号線が設けられていることを特徹とする請求項１１に記載の表示装置。
【請求項１４】
前記第２の工程は、１フレームにおいて、前記ｍ本の走査信号線のうちの前記所定の１本が選択される前においてのみ行われることを特徴とする請求項９乃至１３の何れかに記載の表示装置。
【請求項１５】
前記ｍ本と前記ｎ本とは同じ本数であることを特徴とする請求項９乃至１４の何れかに記載の表示装置。
【請求項１６】
前記ｍ本と前記ｎ本とは、４本であることを特徴とする請求項９乃至１５の何れかに記載の表示装置。
【請求項１７】
複数の走査信号線と、
前記複数の走査信号線に接続された複数の画素とを有する表示装置であって、
前記複数の走査信号線のうち、隣接するｍ本（ｍは２以上の自然数）よりなる第１の走査信号線群の各走査信号線を順次選択することで、前記第１の走査信号線群に対応する複数の画素に対して映像信号が供給される第１の工程と、
前記複数の走査信号線のうち、前記第１の走査信号線群とは異なり、隣接するｎ本（ｎは２以上の自然数）よりなる第２の走査信号線群の走査信号線を一括して選択することで、前記第２の走査信号線群に対応する複数の画素に対してブランキング信号が供給される第２の工程とを有し、
前記第１の工程において順次選択される前記ｍ本の走査信号線のうちの所定の１本が選択される前に前記第２の工程が行なわれ、
前記第２の工程において前記第２の走査信号線群に対応する複数の画素に供給されるブランキング信号の極性と、前記所定の１本に対応する画素に対して供給される映像信号の極性とは異なっていることを特徴とする表示装置。
【請求項１８】
前記第１の工程と前記第２の工程とは、フレーム毎に繰り返されることを特徴とする請求項１７に記載の表示装置。
【請求項１９】
前記第２の工程の後に選択される前記所定の１本とは、第１のフレームにおいては、前記ｍ本の走査信号線の中の第１の走査信号線であり、
第２のフレームにおいては、前記ｍ本の走査信号線の中の第２の走査信号線であることを特徴とする請求項１７又は１８に記載の表示装置。
【請求項２０】
前記第１の走査信号線と前記第２の走査信号線とは隣接した走査信号線であり、
前記第１のフレームにおける前記第２の工程でのブランキング信号の極性と、前記第２のフレームにおける前記第２の工程でのブランキング信号の極性とは同じであることを特徴とする請求項１９に記載の表示装置。
【請求項２１】
前記第１の走査信号線と前記第２の走査信号線との間には、少なくとも１本の走査信号線が設けられていることを特徴とする請求項１９に記載の表示装置。
【請求項２２】
前記第１のフレームにおける前記第２の工程でのブランキング信号の極性と、前記第２のフレームにおける前記第２の工程でのブランキング信号の極性とは異なることを特徴とする請求項２１に記載の表示装置。
【請求項２３】
前記第１のフレームにおける前記第２の工程でのブランキング信号の極性と、前記第２のフレームにおける前記第２の工程でのブランキング信号の極性とは同じであることを特徴とする請求項２１に記載の表示装置。
【請求項２４】
前記第２の工程は、１フレームにおいて、前記ｍ本の走査信号線のうちの前記所定の１本が選択される前においてのみ行われることを特徴とする請求項１７乃至２３の何れかに記載の表示装置。
【請求項２５】
前記ｍ本と前記ｎ本とは同じ本数であることを特徴とする請求項１７乃至２４の何れかに記載の表示装置。
【請求項２６】
前記ｍ本と前記ｎ本とは、４本であることを特徴とする請求項１７乃至２５の何れかに記載の表示装置。